(57)【要約】【課題】  電解コンデンサなどの劣化を検知はするものの、劣化した時点では手遅れになっており、それ以上、テレビを見れなくなってしまう。【解決手段】  電源回路３０に電解コンデンサ３１を有するテレビであって、ステップ３〜ステップ６にて電解コンデンサ３１の容量を判定し（容量判定手段）、ステップ７，８にて同容量の初期値からの劣化が閾値より大きいか判定し（容量劣化判定手段）、劣化が閾値より大きいと判断されたときには、ステップ９にて当該テレビの消費電力を低下させる延命モードへ入る（延命手段）とともに、ステップ１０にて延命モードへ入った時にユーザに通知する（延命通知手段）。【選択図】  図２
2011119998.tif 000002
【特許請求の範囲】
【請求項１】
電源回路に電解コンデンサを有するテレビであって、
上記電解コンデンサの容量を判定する容量判定手段と、
同容量の初期値からの劣化が閾値より大きいか判定する容量劣化判定手段と、
劣化が閾値より大きいと判断されたときに当該テレビの消費電力を低下させる延命モードに入らせる延命手段と、
上記延命モードへ入った時にユーザに通知する延命通知手段とを具備することを特徴とするテレビ。
【請求項２】
上記テレビは、テレビ回路と電源回路とを有し、
上記テレビ回路は、
テレビ放送を受信するチューナと、
同チューナにて受信した信号に基づいて映像信号と音声信号を出力するテレビ処理回路と、
上記映像信号に基づいて画像処理する画像処理回路と、
液晶パネルと、バックライトユニットと、パネル駆動回路とを有し、画像処理された映像信号に基づいて映像を表示する液晶パネルユニットと、
上記音声信号に基づいて音声を出力する音声回路とを具備し、
上記電源回路は、
内部の電解コンデンサの寿命を測定するマイコンを備えた電解コンデンサ寿命測定システムを具備することを特徴とする請求項１に記載のテレビ。
【請求項３】
上記延命モードでは、上記バックライトユニットでの明るさを暗くさせることを特徴とする請求項２に記載のテレビ。
【請求項４】
上記延命モードでは、上記音声回路でのボリュームの最大値を低くすることを特徴とする請求項２または請求項３に記載のテレビ。
【請求項５】
上記延命モードでは、上記画像処理回路と上記パネル駆動回路での倍速駆動を停止させることを特徴とする請求項２〜請求項４のいずれかに記載のテレビ。
【請求項６】
上記延命モードでは、上記画像処理回路での高画質モードを停止させることを特徴とする請求項２〜請求項５のいずれかに記載のテレビ。
【請求項７】
上記延命モードでは、上記画像処理回路での画像処理ＩＣの稼働を停止させることを特徴とする請求項２〜請求項６のいずれかに記載のテレビ。
【請求項８】
テレビ回路と電源回路とを有するテレビであって、
上記テレビ回路は、
テレビ放送を受信するチューナと、
同チューナにて受信した信号に基づいて映像信号と音声信号を出力するテレビ処理回路と、
上記映像信号に基づいて画像処理する画像処理回路と、
液晶パネルと、バックライトユニットと、パネル駆動回路とを有し、画像処理された映像信号に基づいて映像を表示する液晶パネルユニットと、
上記音声信号に基づいて音声を出力する音声回路とを具備し、
上記電源回路は、
内部の電解コンデンサの寿命を測定するマイコンを備えた電解コンデンサ寿命測定システムを具備し、
上記電解コンデンサの容量を判定する容量判定手段と、
同容量の初期値からの劣化が閾値より大きいか判定する容量劣化判定手段と、
劣化が閾値より大きいと判断されたときに当該テレビの消費電力を低下させる延命モードに入り、
上記バックライトユニットでの明るさを暗くさせ、
上記音声回路でのボリュームの最大値を低くさせ、
上記画像処理回路と上記パネル駆動回路での倍速駆動を停止させ、
上記画像処理回路での高画質モードを停止させ、
上記画像処理回路での画像処理ＩＣの稼働を停止させる延命手段と、
上記延命モードへ入った時にユーザに通知する延命通知手段とを具備することを特徴とするテレビ。
【発明の詳細な説明】
【技術分野】
【０００１】
本発明は、電源回路に電解コンデンサを有するテレビに関し、特に、テレビジョン方式の細部としての電源回路の電解コンデンサの劣化判定を行うテレビに関する。
【背景技術】
【０００２】
近年、家電のシステムは複雑化し、電源電流もシステムの負荷に応じてダイナミックに変化するようになった。電源ラインの平滑用電解コンデンサも負荷の大きい充放電にさらされ、寿命を推測するのが難しくなってきている。特に、テレビは設計寿命を超えた使われ方もする。
電源回路に電解コンデンサを有する電気機器において、電解コンデンサの劣化を判定する技術が知られている。
特許文献１では、機器が寿命直前であることを使用者に知らせて機器の使用停止を促す技術を開示する。特に、請求項１では、「製品寿命直前を表示して警告するとともに、負荷停止モードとなる。」と記載する。
【０００３】
特許文献２では、スイッチング電源装置の寿命時における保護する技術を開示する。特に、請求項１では、「コンデンサの寿命が検知されたときに、スイッチング周波数を高くする。」と記載し、請求項５では、「コンデンサの寿命が検知されたときに報知する。」と記載する。
特許文献３では、電解コンデンサの寿命を判別する技術を開示する。特に、請求項１では、「演算される静電容量と予め基準として求めてある電解コンデンサの静電容量の許容範囲を超えたときに電解コンデンサは寿命であると判断する。」と記載し、請求項３では、「警告を発する。」と記載する。
【０００４】
特許文献４では、メモリを用いずにコンデンサの寿命を推定するする技術を開示する。特に、請求項４では、「電解コンデンサの容量抜けを測定し、電源の寿命を演算する。」と記載し、請求項５では、「電源の寿命を警告する。」と記載する。
特許文献５では、電池の寿命末期時でも機器に赤外線信号が到達するする技術を開示する。特に、請求項１では、「リモコンの電池電圧が閾値電圧以下であることを検知した場合に、通常より小さい第２の出力レベルで赤外線信号送信手段から点検用信号を送信させる。」と記載する。
【先行技術文献】
【特許文献】
【０００５】
【特許文献１】特開２００９−１６８４１０号公報
【特許文献２】特許第３５９１７０３号公報
【特許文献３】特開平１１−０９８８５４号公報
【特許文献４】特開平０８−２９４６５号公報
【特許文献５】特開２００７−３１８５６５号公報
【発明の概要】
【発明が解決しようとする課題】
【０００６】
上述した特許文献１〜特許文献５では、電解コンデンサなどの劣化を検知はするものの、劣化したことを報知したり、停止する。従って、劣化した時点では手遅れになっており、それ以上、テレビを見れなくなってしまう。
本発明は、電解コンデンサの容量を測定し、製品寿命を判断し、電解コンデンサの容量が減ってきたときにはテレビの消費電力を押さえたモードに入り、電解コンデンサの寿命を一時的に延命しようとするものである。
【課題を解決するための手段】
【０００７】
本発明は、電源回路に電解コンデンサを有するテレビであって、上記電解コンデンサの容量を判定する容量判定手段と、同容量の初期値からの劣化が閾値より大きいか判定する容量劣化判定手段と、劣化が閾値より大きいと判断されたときに当該テレビの消費電力を低下させる延命モードに入らせる延命手段と、上記延命モードへ入った時にユーザに通知する延命通知手段とを具備する構成としてある。
上記構成において、電源回路に電解コンデンサを有するテレビであって、容量判定手段が電源回路の電解コンデンサの容量を判定すると、容量劣化判定手段は同容量の初期値からの劣化が閾値より大きいか判定し、劣化が閾値より大きいと判断されたときに延命手段は当該テレビの消費電力を低下させる延命モードに入らせるとともに、この延命モードへ入った時に延命通知手段がユーザに通知する。
【０００８】
すなわち、電解コンデンサ容量が閾値より小さくなったらテレビの消費電力を下げるように設定を強制的に変更する。消費電力を下げることで電解コンデンサの充放電される電荷が減る。すると、電解コンデンサの温度上昇が下がり、容量抜けが起こりにくくなるので、いきなり故障することはなくなる。
ここで、上記テレビのより具体的な構成として、テレビ回路と電源回路とを有し、上記テレビ回路は、テレビ放送を受信するチューナと、同チューナによて受信した信号に基づいて映像信号と音声信号を出力するテレビ処理回路と、上記映像信号に基づいて画像処理する画像処理回路と、液晶パネルと、バックライトユニットと、パネル駆動回路とを有し、画像処理された映像信号に基づいて映像を表示する液晶パネルユニットと、上記音声信号に基づいて音声を出力する音声回路とを具備し、上記電源回路は、内部の電解コンデンサの寿命を測定するマイコンを備えた電解コンデンサ寿命測定システムを具備する構成としても良い。
【０００９】
テレビの消費電力を低下させる延命モードの一例として、上記バックライトユニットでの明るさを暗くさせる構成を採用しても良い。
バックライトユニットは、明るいほど電力を消費するので、暗くさせることにより消費電力が低下する。
また、他の一例として、上記延命モードでは、上記音声回路でのボリュームの最大値を低くする構成を採用しても良い。
音声回路でのボリュームを上げると電力を消費するので、最大値を低くすることにより消費電力が低下する。
【００１０】
さらに、他の一例として、上記延命モードでは、上記画像処理回路と上記パネル駆動回路での倍速駆動を停止させる構成を採用しても良い。
倍速駆動はより電力を消費するので、上記画像処理回路と上記パネル駆動回路での倍速駆動を停止させることにより消費電力が低下する。
さらに、他の一例として、上記延命モードでは、上記画像処理回路での高画質モードを停止させる構成を採用しても良い。
高画質モードは電気的処理を使っているので消費電力は多くなる傾向があり、上記画像処理回路での高画質モードを停止させることにより消費電力が低下する。
【００１１】
さらに、他の一例として、上記延命モードでは、上記画像処理回路での画像処理ＩＣの稼働を停止させる構成を採用しても良い。
画像処理ＩＣも電力を消費するので、上記画像処理回路での画像処理ＩＣの稼働を停止させることにより消費電力が低下する。
むろん、これらの統合として、テレビ回路と電源回路とを有するテレビであって、上記テレビ回路は、テレビ放送を受信するチューナと、同チューナにて受信した信号に基づいて映像信号と音声信号を出力するテレビ処理回路と、上記映像信号に基づいて画像処理する画像処理回路と、液晶パネルと、バックライトユニットと、パネル駆動回路とを有し、画像処理された映像信号に基づいて映像を表示する液晶パネルユニットと、上記音声信号に基づいて音声を出力する音声回路とを具備し、上記電源回路は、内部の電解コンデンサの寿命を測定するマイコンを備えた電解コンデンサ寿命測定システムを具備し、上記電解コンデンサの容量を判定する容量判定手段と、同容量の初期値からの劣化が閾値より大きいか判定する容量劣化判定手段と、劣化が閾値より大きいと判断されたときに当該テレビの消費電力を低下させる延命モードに入り、上記バックライトユニットでの明るさを暗くさせ、上記音声回路でのボリュームの最大値を低くさせ、上記画像処理回路と上記パネル駆動回路での倍速駆動を停止させ、上記画像処理回路での高画質モードを停止させ、上記画像処理回路での画像処理ＩＣの稼働を停止させる延命手段と、上記延命モードへ入った時にユーザに通知する延命通知手段とを具備するように構成しても良い。
【発明の効果】
【００１２】
本発明に依れば、テレビがいきなり壊れることを防ぐとともに、一定期間テレビの延命をすることで買い換えするまでの情報入手経路が無くなることを防ぐことができる。
【図面の簡単な説明】
【００１３】
【図１】本テレビのブロック図である。
【図２】本テレビの延命モードの実施を判定するフローチャートである。
【図３】延命モードとする省電力設定を示す図である。
【発明を実施するための形態】
【００１４】
以下、図面にもとづいて本発明の実施形態を説明する。
図１は、本発明の一実施形態にかかるテレビをブロック図により示している。
同図において、本テレビは、テレビ回路１０と、電源回路３０とから構成されている。テレビ回路１０におけるチューナ１１は、アンテナ１２を介してテレビ放送を受信する。テレビ処理回路１３はチューナ１１に対して所定のチャンネルのテレビ放送を受信させるとともに、受信された放送信号から映像信号と音声信号とを出力する。また、その前提として操作パネル１４を介してユーザの操作を入力している。
【００１５】
映像信号は画像処理回路１５に出力され、同画像処理回路１５は液晶パネルユニット１６で映像を表示するための信号に変換して出力する。液晶パネルユニット１６はパネル駆動回路１７と、液晶パネル１８と、バックライトユニット１９とを有しており、画像処理回路１５の出力信号に基づいてパネル駆動回路１７が液晶パネル１８の各画素を駆動させて映像を形成しつつ、バックライトユニット１９が同液晶パネル１８の背面から透過光を照射し、同液晶パネル１８の表面に視認可能な映像を表示させる。
【００１６】
一方、音声信号は音声回路２１に出力され、操作パネル１４のボリューム調整操作に対応した音量となるように増幅され、スピーカ２２から音声として出力される。
電源回路３０は、上記テレビ回路１０全般に対して駆動電力を供給するものであり、内部には電解コンデンサ３１も含まれている。
このテレビの電源回路３０には電解コンデンサ寿命測定システムが組み込まれている。すなわち、同電解コンデンサ３１の寿命を測定するためのマイコン３２を有しており、電解コンデンサ寿命測定システム３３を構成している。電解コンデンサ寿命測定システム３３で電解コンデンサ３１の寿命を測定する手法は既に公知であるが、本実施形態では既知の電圧で充電する際の充電速度に基づいて判定している。なお、寿命を測定するというのは、一般的に容量の劣化を検知することを含み、文言通りの寿命を測定するものに限られない。
【００１７】
マイコン３２は電解コンデンサ３１の寿命を測定するのに加え、劣化が見つかった場合にはテレビ回路１０に対して所定の延命モードに入るように制御する。
次に、上記構成からなる本実施形態の動作を説明する。
図２は、電解コンデンサ寿命測定システムにおけるマイコンが実行するフローチャートである。このフローチャートは、図示しないテレビのスイッチを入れたとき、このテレビの起動時に毎回行われるようになっている。
同図において、ステップ１では、マイコン３２は電解コンデンサの測定回数カウンタの値を確認する。この測定回数カウンターは、電解コンデンサ３１の容量測定の度に回数をカウントしていくものであり、本フローチャートを実行するたびにカウンタは「１」だけ繰り上がるようにしている。また、初回実行時は「０」である。ステップ２でカウンタの値が「０」であるか判断し、「０」であれば、ステップ３へ進む。ステップ３では、マイコン３２が電解コンデンサ３１の充電時間を測定し、ステップ４では、測定した充電時間から容量を算出して、メモリ１とメモリ２に記録する。ここで、メモリ１は、電解コンデンサ３１の初回時の容量（初期値）を記憶しておくメモリであり、メモリ２は、電解コンデンサ３１の現時点での容量を記憶しておくメモリである。
【００１８】
初回実行時にマイコン３２が電解コンデンサ３１の容量を算出したときだけ、測定結果をメモリ１とメモリ２に記憶し、初回時以外は、ステップ５にて容量を算出すると、ステップ６にて算出した容量をメモリ２だけに記録する。
なお、ステップ４とステップ６で充電時間から容量を算出しているが、電解コンデンサの劣化の判定にあたり、必ずしも容量での比較が必要ではなく、同等の値、例えば、充電時間であっても劣化検出としての容量と同等と言える。本発明において、ステップ３〜ステップ６は容量判定手段に相当する。
【００１９】
次に、ステップ７では、メモリ１とメモリ２のデータを比較し、ステップ８では、メモリ２のデータがメモリ１の８０％以上の値を持っているか判定する。すなわち、電解コンデンサ３１の容量が初回時よりも８０％以上劣化したら、電解コンデンサの劣化と判定している。従って、ステップ７とステップ８とで容量劣化判定手段を構成している。
本実施形態では、この判定の閾値として「８０％」を使用している。これは、本来的には７０％をもって劣化と判定して使用を止めるのが好ましいと判断していることを前提として、その値よりもさらに１０％高い値を閾値としている。このように本来の閾値よりも高い閾値を設定するのは、本発明では、早めに劣化を検知し、それ以降も延命モードでテレビの稼働を続けるからである。これにより、ユーザは早めに劣化を知り、サービスマンを呼んで電源回路を修理してもらったり、あるいはテレビの買い換えを行えるようになる。
【００２０】
電解コンデンサ３１の容量が初回時よりも８０％以上であり、劣化していない場合は、ステップ１１にて通常状態で起動する。しかし、８０％以下となって劣化しているときは、ステップ９にて、電源起動後、バックライトの明るさを最暗とし、音声ボリュームも最低限とする延命モードに入って稼働する。なお、このステップ９が延命手段に相当する。
バックライトは液晶テレビにおいては、最も電力を要する部品である。このバックライトの明るさを暗くして起動することで、消費電力は低下する。
【００２１】
すなわち、電解コンデンサ容量が閾値より小さくなったらテレビの消費電力を下げるように設定を強制的に変更する。消費電力を下げることで電解コンデンサの充放電される電化が減り、電解コンデンサの温度上昇が下がるとともに、容量抜けが起こりにくくなるので、いきなり故障することはなくなる。
消費電力を下げる延命モードは、バックライトの明るさだけに限られず、音声ボリュームを最低限とすることも一手段といえる。ここで、マイコン３２が指示可能な他の延命モードについて説明する。
【００２２】
図３は、延命モードとする省電力設定を示している。
省電力を実現する要素として、バックライト、ボリューム、高画質モード、倍速駆動、画像処理ＩＣがある。
バックライトは、通常時は「明」となっており、十分に明るく照射している。しかし、延命モードでは、起動時に最暗で表示するほか、手動で明るくする場合にもその最大値を通常時よりも「暗」としておくことで、消費電力を少なくして延命を図るようにしている。ボリュームは状況に応じて大小の設定が必要であるが、それでも最大値の値を通常時の「大」の状態から、延命モード時の「小」とすることで、消費電力を少なくして延命を図るようにしている。
【００２３】
高画質モードについては、通常時は「稼働」とするが、延命モードでは「停止」とする。倍速駆動についても、通常時は「稼働」とするが、延命モードでは「停止」とする。倍速駆動は液晶パネル１８で表示するフレームレートを倍速、あるいは倍倍速とするものであり、一般的には倍速駆動の方が通常駆動よりも電力を要する。高画質モードには各種のモードがあるが、これについても一般的には高画質モードの方が通常モードよりも電力を要する。従って、これらのモードを停止させることで、消費電力を少なくして延命を図るようにしている。
【００２４】
その他、画像処理回路１５の高度な画像処理ＩＣについて、通常時は「稼働」とするが、延命モードでは「停止」とする。画像処理ＩＣは電源供給を停止することが可能であることが多く、電源供給を絶って停止させて消費電力を少なくし、延命を図る。
最後に、ステップ１０にて、起動後、ＯＳＤにて延命モードに入ったことをユーザーに通知する。本テレビは、電解コンデンサが劣化し始めてもまだ見続けるという効果を奏する。その反面、そのままではユーザーが劣化を知ることができないので、ＯＳＤで通知する。ＯＳＤによる具体的な表示は様々であるが、起動直後、一定時間、全画面で通知した後、一旦消え、チャンネルを変えると、チャンネル番号とともに「延命モード」を実行中である旨を表示すればよい。なお、ステップ１０が延命通知手段に相当する。
【００２５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２６】
１０…テレビ回路、１１…チューナ、１２…アンテナ、１３…テレビ処理回路、１４…操作パネル、１５…画像処理回路、１６…液晶パネルユニット、１７…パネル駆動回路、１８…液晶パネル、１９…バックライトユニット、２１…音声回路、２２…スピーカ、３０…電源回路、３１…電解コンデンサ、３２…マイコン、３３…電解コンデンサ寿命測定システム。
【図１】
2011119998.tif 000003
【図２】
2011119998.tif 000004
【図３】
2011119998.tif 000005